(57)【要約】【課題】媒体収納庫の大きさ及び媒体の収納容量を保ちつつ、ジャム除去媒体を収納する。【解決手段】現金自動取引装置１は、紙幣を搬送する上搬送部２０及び下搬送部２２と、上搬送部２０により搬送される紙幣を鑑別する鑑別部１４と、鑑別部１４によりリジェクト紙幣と鑑別された紙幣を収納するリジェクト庫１８とを設け、リジェクト庫１８は、リジェクト紙幣を集積するリジェクト紙幣収納空間３７と、リジェクト紙幣収納空間３７に対し、リジェクト紙幣が集積される集積方向である上下方向に沿って重ならない位置に設けられ、上搬送部２０及び下搬送部２２上から除去された除去媒体としてのジャム除去紙幣を収納するジャム除去紙幣収納空間４４と、外部からジャム除去紙幣収納空間４４にジャム除去紙幣を投入させるジャム除去紙幣投入口４７とを有する。【選択図】図１２
2018097634.tif 000002
【特許請求の範囲】
【請求項１】
媒体を集積する媒体収納空間と、
前記媒体収納空間に対し、前記媒体が集積される集積方向に沿って重ならない位置に設けられ、搬送路上から除去された除去媒体を収納する除去媒体収納空間と、
外部から前記除去媒体収納空間に前記除去媒体を投入させる投入口と
を有することを特徴とする媒体収納庫。
【請求項２】
前記除去媒体収納空間は、前記媒体収納空間に対し上下に重ならない位置に配されることを特徴とする
請求項１に記載の媒体収納庫。
【請求項３】
前記媒体収納空間は、リジェクトすべきと判定されたリジェクト媒体を集積することを特徴とする
請求項２に記載の媒体収納庫。
【請求項４】
前記媒体収納空間を形成し、前記リジェクト媒体の集積方向に延在する側壁部と、
搬送路により搬送される前記リジェクト媒体を前記媒体収納空間に放出する放出部と
をさらに有し、
前記除去媒体収納空間は、前記側壁部に対して前記媒体収納空間の反対側に形成される
ことを特徴とする請求項３に記載の媒体収納庫。
【請求項５】
前記除去媒体収納空間は、前記放出部の下方に形成されることを特徴とする
請求項４に記載の媒体収納庫。
【請求項６】
前記媒体収納空間は、前記リジェクト媒体を上下方向に集積し、
前記除去媒体収納空間は、前記除去媒体を立位姿勢で並べて収納する
ことを特徴とする請求項４に記載の媒体収納庫。
【請求項７】
前記側壁部は、前記媒体収納空間側から前記除去媒体収納空間が視認可能であることを特徴とする
請求項４に記載の媒体収納庫。
【請求項８】
前記側壁部は、前記媒体収納空間と前記除去媒体収納空間とを連通させたスリットを有し、該スリットを介して前記媒体収納空間側から前記除去媒体収納空間が視認可能であることを特徴とする
請求項７に記載の媒体収納庫。
【請求項９】
前記側壁部は、透明材料であることを特徴とする
請求項７に記載の媒体収納庫。
【請求項１０】
前記媒体収納空間を開閉するリジェクト媒体収納扉と、
前記除去媒体収納空間を開閉する除去媒体収納扉と
をさらに有し、
前記リジェクト媒体収納扉は、前記リジェクト媒体収納扉が前記媒体収納空間を閉鎖するリジェクト媒体収納扉閉鎖状態において、前記除去媒体収納扉が前記除去媒体収納空間を開放させる方向への前記除去媒体収納扉の移動を規制する
ことを特徴とする請求項４に記載の媒体収納庫。
【請求項１１】
前記リジェクト媒体収納扉及び前記除去媒体収納扉は、前記リジェクト媒体収納扉に設けられたリジェクト媒体収納扉錠により施錠される
請求項１０に記載の媒体収納庫。
【請求項１２】
前記除去媒体収納空間と対向する箇所に前記投入口が形成されており、前記媒体収納空間と前記除去媒体収納空間とを共に開閉する扉
をさらに有することを特徴とする請求項４に記載の媒体収納庫。
【請求項１３】
前記媒体収納空間において集積方向に沿って移動し前記リジェクト媒体を載置するステージ
をさらに有することを特徴とする請求項４に記載の媒体収納庫。
【請求項１４】
媒体を搬送する搬送路と、
前記搬送路により搬送される前記媒体を鑑別する鑑別部と、
前記鑑別部によりリジェクト媒体と鑑別された媒体を収納するリジェクト庫とを備え、
前記リジェクト庫は、
前記リジェクト媒体を集積する媒体収納空間と、
前記媒体収納空間に対し、前記リジェクト媒体が集積される集積方向に沿って重ならない位置に設けられ、前記搬送路上から除去された除去媒体を収納する除去媒体収納空間と、
外部から前記除去媒体収納空間に前記除去媒体を投入させる投入口と
を有することを特徴とする媒体取引装置。
【請求項１５】
前記リジェクト庫が前記媒体取引装置に装着された状態において前記投入口と対向するフレームをさらに有することを特徴とする
請求項１４に記載の媒体取引装置。
【請求項１６】
前記搬送路を形成する搬送ガイドは、前記リジェクト庫が装着される媒体収納庫装着部側から前記搬送路が透視可能な部材で形成されることを特徴とする
請求項１５に記載の媒体取引装置。
【発明の詳細な説明】
【技術分野】
【０００１】
本発明は媒体収納庫及び媒体取引装置に関し、例えば媒体として紙幣を取り扱う現金自動預払機（ＡＴＭ：Automatic Teller Machine）等に適用して好適なものである。
【背景技術】
【０００２】
従来、金融機関や店舗等で使用される現金自動取引装置等においては、顧客との取引内容に応じて、例えば顧客に紙幣や硬貨等の現金を入金させ、また顧客へ現金を出金する。現金自動取引装置としては、例えば顧客との間で紙幣の授受を行う紙幣入出金部と、投入された紙幣の金種及び真偽を鑑別する鑑別部と、投入された紙幣を一時的に保留する一時保留部と、紙幣を搬送する搬送部と、金種毎に紙幣を格納する紙幣収納庫と、リジェクト紙幣を収納するリジェクト庫とを有するものがある（例えば、特許文献１参照）。
【０００３】
図２６に示すように従来のリジェクト庫１０１８は、全体として直方体状に構成されており、その周囲がリジェクト庫筐体３４により覆われている。またリジェクト庫１０１８は、前面の上端近傍に、搬送部から紙幣を受け取るスリット状の受取口３４Ａを有しており、またその内部にリジェクト紙幣を収納する空間であるリジェクト紙幣収納空間３７を有している。リジェクト庫１０１８内には、ステージ５４が設けられており、受取口３４Ａから放出されたリジェクト紙幣が集積方向である上下方向に沿って重なるよう集積される。このステージ５４は、スプリング５６により下方から支持されており、該ステージ５４に集積されたリジェクト紙幣の枚数に応じて、該スプリング５６が縮み適正な集積スペースを確保する。
【０００４】
例えばコンビニエンスストア等に置かれた現金自動取引装置においては、現金自動取引装置における紙幣の補充作業が行われる際、紙幣が大量に装填された紙幣収納庫を現金センターから警送員が持って来て、現金自動取引装置内における紙幣が少ない紙幣収納庫と交換し、交換した該紙幣収納庫を現金センターへ持ち帰り、現金自動取引装置内の有り高を管理するといった運用をしている。また、現金自動取引装置内部において紙幣が詰まった搬送ジャム等は、警送員とは異なる警備員が対応している。
【０００５】
搬送ジャムが発生すると、警備員によってジャム紙幣の除去が行われる。除去されたジャム除去紙幣は、現金自動取引装置内の有り高を管理させるために、現金センターに移送され、カウントされる必要がある。しかしながら警備員は警送員ではないため、警備員がジャム除去紙幣を現金センターへ直接移送することは許されない。よって、ジャム除去紙幣は警送員によって現金自動取引装置から現金センターへ確実に持ち帰ってもらう必要があるため、現金自動取引装置においては、リジェクト庫にジャム除去紙幣を収納するようにしている。警送員は、紙幣収納庫を交換する際に、該紙幣収納庫と共にリジェクト庫１０１８を現金自動取引装置から取り外し、現金センターへ持ち帰る。
【０００６】
このように、ジャム除去紙幣は警送員によって現金センターへ確実に持ち帰ってもらう必要があり、そのためにリジェクト庫１０１８にジャム除去紙幣を収納するという要望がある。
【０００７】
これに対し、図２５及び図２７に示すリジェクト庫１１１８のように、リジェクト紙幣収納空間３７の上方において、水平方向に延在する仕切り板１１６０を設け、該仕切り板１１６０よりも上側をジャム除去紙幣収納空間４４として扱うことが考えられる。リジェクト庫１１１８は、ジャム除去紙幣が投入されるジャム除去紙幣投入口１１４７をジャム除去紙幣収納空間４４の後方に、ジャム除去紙幣が取り出される際開放される、ジャム除去紙幣収納扉錠４５付きのジャム除去紙幣収納扉１１４３をジャム除去紙幣収納空間４４の前方に、リジェクト紙幣が取り出される際開放される、リジェクト紙幣収納扉錠４０付きのリジェクト紙幣収納扉１１３９をリジェクト紙幣収納空間３７の後方に、それぞれ設けている。
【０００８】
このリジェクト庫１１１８においては警備員が搬送部から除去したジャム除去紙幣をジャム除去紙幣投入口１１４７からリジェクト庫１１１８内に投入する。その後リジェクト庫１１１８が現金センターへ移送され、リジェクト紙幣収納扉１１３９が開けられリジェクト紙幣が取り出されると共に、ジャム除去紙幣収納扉１１４３が開けられジャム除去紙幣が取り出される。
【先行技術文献】
【特許文献】
【０００９】
【特許文献１】特開平６−３１８２８３号公報
【発明の概要】
【発明が解決しようとする課題】
【００１０】
しかしながらこのようなリジェクト庫１１１８では、リジェクト紙幣収納空間３７の上部にジャム除去紙幣収納空間４４が配置されるため、リジェクト庫の高さを保つ場合、リジェクト紙幣収納空間３７の高さが低くなり、リジェクト紙幣の収納容量が減少してしまった。一方、リジェクト紙幣の収納容量を従来と同様に保つ場合、ジャム除去紙幣収納空間４４の分だけリジェクト庫の高さを高くする必要があり、リジェクト庫が大型化してしまう。
【００１１】
本発明は以上の点を考慮してなされたもので、媒体収納庫の大きさ及び媒体の収納容量を保ちつつ、ジャム除去媒体を収納し得る媒体収納庫及び媒体取引装置を提案しようとするものである。
【課題を解決するための手段】
【００１２】
かかる課題を解決するため本発明の媒体収納庫においては、媒体を集積する媒体収納空間と、媒体収納空間に対し、媒体が集積される集積方向に沿って重ならない位置に設けられ、搬送路上から除去された除去媒体を収納する除去媒体収納空間と、外部から除去媒体収納空間に除去媒体を投入させる投入口とを設けるようにした。
【００１３】
また本発明の媒体取引装置においては、媒体を搬送する搬送路と、搬送路により搬送される媒体を鑑別する鑑別部と、鑑別部によりリジェクト媒体と鑑別された媒体を収納するリジェクト庫とを設け、リジェクト庫は、リジェクト媒体を集積する媒体収納空間と、媒体収納空間に対し、リジェクト媒体が集積される集積方向に沿って重ならない位置に設けられ、搬送路上から除去された除去媒体を収納する除去媒体収納空間と、外部から除去媒体収納空間に除去媒体を投入させる投入口とを有するようにした。
【００１４】
本発明は、媒体収納空間に影響を与えることなくジャム除去媒体を媒体収納庫に収納できる。
【発明の効果】
【００１５】
本発明によれば、媒体収納庫の大きさ及び媒体の収納容量を保ちつつ、ジャム除去媒体を収納し得る媒体収納庫及び媒体取引装置を実現できる。
【図面の簡単な説明】
【００１６】
【図１】現金自動取引装置の外観構成を示す斜視図である。
【図２】リジェクト庫装着状態及び一時保留部装着状態における紙幣入出金機の構成を示す左側面図である。
【図３】リジェクト庫離脱状態及び一時保留部離脱状態における紙幣入出金機の構成を示す左側面図である。
【図４】入金計数処理における紙幣の流れを示す左側面図である。
【図５】入金収納処理における紙幣の流れを示す左側面図である。
【図６】出金処理における紙幣の流れを示す左側面図である。
【図７】第１の実施の形態によるリジェクト庫装着状態及び一時保留部装着状態におけるリジェクト庫一時保留部ユニットの構成を示す斜視図である。
【図８】第１の実施の形態によるリジェクト庫離脱状態及び一時保留部離脱状態におけるリジェクト庫一時保留部ユニットの構成を示す斜視図である。
【図９】第１の実施の形態によるリジェクト庫の構成（１）を示す斜視図である。
【図１０】第１の実施の形態によるリジェクト庫の構成（２）を示す斜視図である。
【図１１】第１の実施の形態によるリジェクト庫の構成（３）を示す斜視図である。
【図１２】第１の実施の形態によるリジェクト庫の構成（４）を示す左側面図である。
【図１３】第１の実施の形態によるリジェクト庫の構成（５）を示す斜視図である。
【図１４】第２の実施の形態によるリジェクト庫の構成（１）を示す斜視図である。
【図１５】第２の実施の形態によるリジェクト庫の構成（２）を示す斜視図である。
【図１６】第２の実施の形態によるリジェクト庫の構成（３）を示す平面図である。
【図１７】第３の実施の形態によるリジェクト庫装着状態及び一時保留部装着状態におけるリジェクト庫一時保留部ユニットの構成を示す斜視図である。
【図１８】他の実施の形態によるリジェクト庫の構成（１）を示す平面図である。
【図１９】他の実施の形態によるリジェクト庫の構成（２）を示す平面図である。
【図２０】他の実施の形態によるリジェクト庫の構成（３）を示す平面図である。
【図２１】他の実施の形態によるリジェクト庫の構成（４）を示す平面図である。
【図２２】他の実施の形態によるリジェクト庫の構成（５）を示す左側面図である。
【図２３】ジャム除去紙幣投入有無通知部の構成（１）を示す斜視図である。
【図２４】ジャム除去紙幣投入有無通知部の構成（２）を示す斜視図である。
【図２５】従来のリジェクト庫の構成（１）を示す斜視図である。
【図２６】従来のリジェクト庫の構成（２）を左側面図である。
【図２７】従来のリジェクト庫の構成（３）を左側面図である。
【発明を実施するための形態】
【００１７】
以下、発明を実施するための形態（以下実施の形態とする）について、図面を用いて説明する。
【００１８】
［１．第１の実施の形態］
［１−１．現金自動取引装置の構成］
図１に外観を示すように、現金自動取引装置１は、箱状の装置筐体２を中心に構成されており、例えば金融機関等に設置され、利用者（すなわち金融機関の顧客）との間で入金取引や出金取引等の現金に関する取引を行う。
【００１９】
装置筐体２は、その前側に顧客が対峙した状態で紙幣の投入やタッチパネルによる操作等をしやすい箇所に顧客応対部３が設けられている。顧客応対部３は、カード入出口４、入出金口５、操作表示部６、テンキー７及びレシート発行口８が設けられており、顧客との間で現金や通帳等を直接やり取りすると共に、取引に関する情報の通知や操作指示の受付を行う。カード入出口４は、キャッシュカード等の各種カードが挿入又は排出される部分である。カード入出口４の奥側には、各種カードに磁気記録された口座番号等の読み取りを行うカード処理部（図示せず）が設けられている。入出金口５は、顧客が入金する紙幣が投入されると共に、顧客へ出金する紙幣が排出される部分である。操作表示部６は、取引に際して操作画面を表示するＬＣＤ（Liquid Crystal Display）と、取引の種類の選択、暗証番号や取引金額等を入力するタッチパネルとが一体化されている。テンキー７は、「０」〜「９」の数字等の入力を受け付ける物理的なキーであり、暗証番号や取引金額等の入力操作時に用いられる。レシート発行口８は、取引処理の終了時に取引内容等を印字したレシートを発行する部分である。
【００２０】
以下では、現金自動取引装置１のうち利用者が対峙する側を前側とし、その反対を後側とし、該前側に対峙した利用者から見て左及び右をそれぞれ左側及び右側とし、さらに上側及び下側を定義して説明する。
【００２１】
装置筐体２内には、現金自動取引装置１全体を統轄制御する主制御部９や、紙幣に関する種々の処理を行う紙幣入出金機１０等が設けられている。主制御部９は、図示しないＣＰＵ（Central Processing Unit）を中心に構成されており、図示しないＲＯＭ（Read Only Memory）やフラッシュメモリ等から所定のプログラムを読み出して実行することにより、各部を制御して入金取引や出金取引等の種々の処理を行う。また主制御部９は、内部にＲＡＭ（Random Access Memory）、ハードディスクドライブやフラッシュメモリ等でなる記憶部を有しており、この記憶部に種々の情報を記憶させる。
【００２２】
［１−２．紙幣入出金機の内部構成］
紙幣入出金機１０は、図２に側面図を示すように、内部に紙幣に関する種々の処理を行う複数の部分が組み込まれている。紙幣入出金機１０は、大きく分けて、上下方向のほぼ中央よりも上側部分を占める上部ユニット１０Ｕと、その下側部分を占める下部ユニット１０Ｄとにより構成されている。
【００２３】
上部ユニット１０Ｕには、全体を統轄制御する紙幣制御部１１と、顧客との間で紙幣を授受する入出金部１２と、紙幣を各部へ搬送する上搬送部２０と、紙幣を鑑別する鑑別部１４と、紙幣を一時的に収納する一時保留部１５と、リジェクト紙幣を収納するリジェクト庫１８とが設けられている。
【００２４】
紙幣制御部１１は、主制御部９と同様に図示しないＣＰＵを中心に構成されており、図示しないＲＯＭやフラッシュメモリ等から所定のプログラムを読み出して実行することにより、紙幣の搬送先を決定する処理や各部の動作を制御する処理等、種々の処理を行う。また紙幣制御部１１は、内部にＲＡＭ及びフラッシュメモリ等でなる記憶部を有しており、この記憶部に種々の情報を記憶させる。
【００２５】
入出金部１２は、上部ユニット１０Ｕ内における前上部に位置している。この入出金部１２は、利用者から受け取った紙幣及び利用者へ引き渡す紙幣を収容する収容器を内部に有しており、その上方をシャッタにより開閉し得る。収容器内には、複数の紙幣が紙面を前後方向に向けて集積された状態で収容される。この入出金部１２は、収容器内の紙幣を１枚ずつに分離して上搬送部２０に引き渡し、また上搬送部２０から受け取った紙幣を収容器内へ放出して集積させる。
【００２６】
上搬送部２０は、その一部分を模式的に図示するように、モータ、ローラ、ベルト及びガイド等により構成されており、上部ユニット１０Ｕ内の各部を結ぶような図中実線で示す搬送経路を形成している。この上搬送部２０は、ローラを適宜回転させ、またベルトを適宜走行させることにより、この搬送経路に沿って紙幣を搬送する。また上搬送部２０は、前方の下端部及び後方の下端部において後述する下搬送部２２との間で互いの搬送経路を接続している。上搬送部２０のうちの後方の下端部から一時保留部１５の前方までほぼ鉛直方向に沿って延びる区間を、リジェクト庫一時保留部搬送部２１とも呼ぶ。このリジェクト庫一時保留部搬送部２１は、対向する搬送ガイド（図示せず）の搬送ガイド面によってリジェクト庫一時保留部搬送路が形成されており、回動軸を中心に後方へ倒れるように回動可能になっている。
【００２７】
鑑別部１４は、上搬送部２０内に組み込まれており、紙幣の搬送経路上で入出金部１２と一時保留部１５との間に位置している。この鑑別部１４は、内部に厚みセンサ、イメージセンサ及び磁気センサといった複数種類のセンサが組み込まれており、搬送される紙幣の金種、真偽、正損（損傷しているか否か）等を認識し、その認識結果を紙幣制御部１１へ送出する。
【００２８】
一時保留部１５は、上部ユニット１０Ｕ内における後上部でありリジェクト庫１８の上方に位置している。この一時保留部１５は、上搬送部２０から紙幣を受け取ると、これを内部に集積して保持する。また一時保留部１５は、紙幣制御部１１から紙幣を繰り出す指示を受け付けると、集積している紙幣を１枚ずつに分離して繰り出し、上搬送部２０に引き渡す。この一時保留部１５は、図２に示すように上部ユニット１０Ｕ内に収納された状態と、図３に示すように上部ユニット１０Ｕから水平方向に沿って後方へ移動され上部ユニット１０Ｕの後方に引き出された状態とに遷移する。以下では、一時保留部１５が現金自動取引装置１から取り外された状態を一時保留部離脱状態とも呼び、一時保留部１５が現金自動取引装置１に装着された状態を一時保留部装着状態とも呼ぶ。
【００２９】
リジェクト庫１８は、上部ユニット１０Ｕ内における後下部であり一時保留部１５の下方に位置している。このリジェクト庫１８は、直方体状に形成されると共に内部に紙幣を集積して収納する空間を有している。このリジェクト庫１８は、損傷の程度が大きく再利用すべきで無いと鑑別部１４において判断された紙幣や、重走やスキュー等の走行異常を鑑別部１４において検知した紙幣等の、いわゆるリジェクト紙幣が上搬送部２０により搬送されてくると、該紙幣を内部に収納する。リジェクト庫１８は、図３に示すように警備員が一時保留部１５を後方ヘスライドさせた後に上方向に持ち上げることで取り出し可能になっている。以下では、リジェクト庫１８が現金自動取引装置１から取り外された状態をリジェクト庫離脱状態とも呼び、リジェクト庫１８が現金自動取引装置１に装着された状態をリジェクト庫装着状態とも呼ぶ。
【００３０】
下部ユニット１０Ｄには、最上部に紙幣を搬送する下搬送部２２が設けられ、該下搬送部２２よりも下側に後側から前側へ向けて、４個の紙幣収納庫１６が設けられている。下搬送部２２は、上搬送部２０と同様、その一部分を模式的に図示するように、モータ、ローラ、ベルト及びガイド等により構成されており、各紙幣収納庫１６の上側をそれぞれ結ぶ図中実線で示す搬送経路を形成し、この搬送経路に沿って紙幣を搬送する。また下搬送部２２は、前方の上端部及び後方の上端部において上搬送部２０との間で互いの搬送経路を接続している。因みに上搬送部２０及び下搬送部２２には、搬送経路が分岐又は結合する箇所に切替器が配置されており、この切替器により紙幣の搬送経路を適宜切り替える。
【００３１】
各紙幣収納庫１６は、上下方向に長い直方体状に形成されると共に内部に紙幣を集積して収納する空間を有している。また各紙幣収納庫１６は、それぞれ収納すべき紙幣の金種が予め設定されている。この紙幣収納庫１６は、下搬送部２２から紙幣を受け取ると、これを内部に集積して収納する。また紙幣収納庫１６は、紙幣制御部１１から紙幣を繰り出す指示を受け付けると、集積している紙幣を１枚ずつに分離して繰り出し、下搬送部２２に引き渡す。
【００３２】
この紙幣入出金機１０は、右側が制御基板等に覆われると共に、左側においては制御基板等に覆われていない箇所が存在することにより、左側から紙幣入出金機１０内部にアクセスが容易であり左側から各種保守作業等が行わることを想定して設計されており、それぞれ左側が保守面側に、右側が非保守面側に設定されている。
【００３３】
現金自動取引装置１においては、紙幣の補充作業が行われる際、紙幣が大量に装填された紙幣収納庫１６を警送員が現金センターから持って来て、現金自動取引装置１内における紙幣が少ない紙幣収納庫１６と交換し、交換した該紙幣収納庫１６を現金センターへ持ち帰り、現金自動取引装置１内の有り高を管理する。
【００３４】
［１−３．入金処理］
次に、現金自動取引装置１により顧客との間で入金取引が行われる場合における、紙幣入出金機１０内での入金処理について図４及び図５を用いて説明する。紙幣入出金機１０は、入金処理において、紙幣制御部１１の制御に基づき、まず入金された紙幣の金種等を鑑別しながら枚数を計数する入金計数処理を行い、次に紙幣を適切な収納箇所へ搬送して収納する入金収納処理を行う。
【００３５】
具体的に紙幣制御部１１は、例えば顧客により操作表示部６（図１）を介して入金取引を開始する旨の操作入力を受け付けると、入金計数処理を開始し、顧客に入出金部１２の収容器へ紙幣を投入させ、これを１枚ずつに分離して取り込み、図４に示すように上搬送部２０へ順次引き渡す。上搬送部２０は、入出金部１２から受け取った紙幣を後方へ順次搬送しながら、鑑別部１４により各紙幣を順次鑑別させる。このとき鑑別部１４は、得られた鑑別結果を紙幣制御部１１へ送出する。
【００３６】
紙幣制御部１１は、取得した鑑別結果を基に、各紙幣における損傷の程度や金種、或いは真偽を判断する。次に紙幣制御部１１は、各紙幣について、正常な紙幣として認識できた場合は以降の処理を継続できる入金受入紙幣であると判断し、正常な紙幣として認識できない場合は、顧客に返却すべき入金リジェクト紙幣であると判断する。
【００３７】
さらに紙幣制御部１１は、入金受入紙幣について、正常であり再利用可能な紙幣については金種ごとの各紙幣収納庫１６を、損傷の程度が大きく再利用に不向きなリジェクト紙幣についてはリジェクト庫１８を、それぞれ最終的な搬送先として決定する。
【００３８】
続いて紙幣制御部１１は、紙幣の判断結果に応じて、入金受入紙幣であれば一時保留部１５へ搬送して収納させ、入金リジェクト紙幣であれば入出金部１２へ搬送して顧客に返却し入金計数処理を完了する。これにより紙幣制御部１１は、紙幣を入出金部１２へ搬送して顧客に返却し、紙幣の状態を確認させ、必要に応じて再投入させる。このとき紙幣制御部１１は、入出金部１２から取り込んだ紙幣の金種及び枚数の集計結果を基に入金額を算出すると共に、所定の操作指示画面を操作表示部６に表示し、この入金額を顧客に提示すると共に入金取引を継続するか否かを選択させる。ここで紙幣制御部１１は、顧客により入金取引の中止が指示された場合、一時保留部１５に保留している全ての紙幣を上搬送部２０により入出金部１２へ搬送して顧客に返却する。
【００３９】
一方、紙幣制御部１１は、顧客により入金取引の継続が指示された場合、入金収納処理を開始する。具体的に紙幣制御部１１は、まず一時保留部１５において操出処理を開始し、収納している紙幣（入金受入紙幣）を図５に示すように順次繰り出す。このとき紙幣制御部１１は、入金計数処理において決定された紙幣毎の搬送先に応じて、各切替器における紙幣の搬送経路を適宜切り替えることにより、各紙幣をそれぞれの搬送先へ搬送して収納させる。これにより紙幣制御部１１は、再利用すべき通常の紙幣を金種ごとに分類して各紙幣収納庫１６に収納し、また再利用すべきで無いリジェクト紙幣をリジェクト庫１８に収納する。
【００４０】
［１−４．出金処理］
次に、現金自動取引装置１により顧客との間で出金取引が行われる場合における、紙幣入出金機１０内での出金処理について図６を用いて説明する。
【００４１】
紙幣制御部１１は、例えば顧客により操作表示部６（図１）を介して出金取引を開始する旨の操作入力を受け付けると、金種に応じて各紙幣収納庫１６から紙幣を繰り出して下搬送部２２へ受け渡し、上搬送部２０により搬送しながら鑑別部１４により各紙幣を順次鑑別させる。このとき鑑別部１４は、得られた鑑別結果を紙幣制御部１１へ送出する。
【００４２】
紙幣制御部１１は、取得した鑑別結果を基に、各紙幣における損傷の程度や金種、或いは真偽を判断する。次に紙幣制御部１１は、各紙幣について、正常な紙幣として認識できた場合は以降の処理を継続できる出金可能紙幣であると判断する一方、出金可能紙幣として認識できない場合は、顧客に出金すべきでない出金リジェクト紙幣であると判断する。
【００４３】
続いて紙幣制御部１１は、紙幣の判断結果に応じて、出金可能紙幣であれば入出金部１２へ搬送して顧客へ受け渡し、出金リジェクト紙幣であればリジェクト庫１８へ搬送して収納する。
【００４４】
［１−５．リジェクト庫一時保留部ユニットの構成］
紙幣入出金機１０においては、図７及び図８に示すようにフレーム２８、スライドレール３０、トレイ３１、リジェクト庫１８、一時保留部１５、後側搬送ガイド３２及び図示しない前側搬送ガイドが、リジェクト庫一時保留部ユニット２６としてユニット化されている。このリジェクト庫１８は、左側面、右側面及び後面をフレーム２８に囲まれた状態で紙幣入出金機１０に装着される。
【００４５】
一時保留部１５は、スライドレール３０を介しフレーム２８と接続されたトレイ３１上に固定されている。このため一時保留部１５は、図７に示すように上部ユニット１０Ｕ内に収納された状態と、図８に示すように上部ユニット１０Ｕから水平方向に沿って後方へ移動され上部ユニット１０Ｕの後方に引き出された状態とに遷移する。
【００４６】
また紙幣入出金機１０は、図８に示したように、一時保留部１５が後方へ引き出された状態から、リジェクト庫１８を上方へ持ち上げるだけで、リジェクト庫１８をリジェクト庫装着部２３から容易に取り外させることができる。また紙幣入出金機１０は、リジェクト庫装着部２３の上方からリジェクト庫１８を下方へ降ろさせるだけで、リジェクト庫装着部２３に装着させることができる。すなわち紙幣入出金機１０は、工具等を使用させること無く、リジェクト庫装着部２３に対しリジェクト庫１８を容易に着脱させることができる。
【００４７】
リジェクト庫１８及び一時保留部１５の前方には、後側搬送ガイド３２が設けられている。この後側搬送ガイド３２は、樹脂成形された黒色であり、該後側搬送ガイド３２の前面に形成された搬送ガイド面と、該後側搬送ガイド３２の前方に位置する図示しない前側搬送ガイドの後面に形成された搬送ガイド面との間に、搬送路が形成されており、回動軸を中心に後方へ倒れ図３に示したようにガイド傾斜状態となるように回動可能になっている。
【００４８】
一時保留部離脱状態及びリジェクト庫離脱状態においては、警備員が後側搬送ガイド３２をガイド傾斜状態に回動させ、リジェクト庫一時保留部搬送部２１内の残留紙幣を確認することができる。すなわちリジェクト庫一時保留部搬送部２１内の紙幣の除去は、一時保留部１５を後方へ退避させリジェクト庫１８を現金自動取引装置１から外した状態でないと行うことができないようになっている。
【００４９】
［１−６．リジェクト庫の構成］
図９、図１０、図１１、図１２及び図１３に示すようにリジェクト庫１８は、全体として直方体状に構成されており、その周囲がリジェクト庫筐体３４により覆われている。リジェクト庫筐体３４は、リジェクト庫筐体天板３４Ｕ、リジェクト庫筐体底板３４Ｄ、リジェクト庫筐体左側板３４Ｌ及びリジェクト庫筐体右側板３４Ｒを有している。
【００５０】
このリジェクト庫１８は、フレーム２８に設けられたリジェクト庫装着部２３に対し上下方向に沿って着脱可能に構成されている。このフレーム２８は、左端において立設するリジェクト庫装着部左側壁２８Ｌと、右端において立設するリジェクト庫装着部右側壁２８Ｒとを有しており、このリジェクト庫装着部左側壁２８Ｌとリジェクト庫装着部右側壁２８Ｒとの間に、リジェクト庫１８を収納するリジェクト庫装着部２３が形成されている。
【００５１】
すなわちリジェクト庫１８は、警備員に把持されリジェクト庫装着部２３に対し上側から下方向である装着方向に降ろされリジェクト庫装着部２３に載置されることにより、リジェクト庫装着部２３に装着され、リジェクト庫装着状態となる。このリジェクト庫装着状態においてリジェクト庫１８は、図７に示すように後側搬送ガイド３２と対向すると共に、受取口３４Ａ（図９）を後側搬送ガイド３２の引渡口３２Ａ（図８）と連結させる。これによりリジェクト庫１８は、リジェクト庫一時保留部搬送部２１から紙幣を受け取ることができる。
【００５２】
またリジェクト庫１８は、警備員に把持されリジェクト庫装着部２３から上方向である離脱方向に向かって持ち上げられることにより、リジェクト庫装着部２３から離脱され、リジェクト庫離脱状態となる。
【００５３】
またリジェクト庫１８は、前面の上端近傍に、上搬送部２０から紙幣を受け取るスリット状の受取口３４Ａを有しており、またその内部にリジェクト紙幣収納部３６が設けられている。リジェクト紙幣収納部３６は、リジェクト紙幣を収納する空間であるリジェクト紙幣収納空間３７を有している。
【００５４】
またリジェクト庫１８は、リジェクト紙幣収納空間３７と外部とを連通し該リジェクト紙幣収納空間３７から外部へリジェクト紙幣を取り出させる開口であるリジェクト紙幣取出開口３８が後側に形成されている。
【００５５】
リジェクト庫筐体３４には、リジェクト紙幣取出開口３８を覆い片開きする板状の開き扉であるリジェクト紙幣収納扉３９が、吊元である左端に設けられた蝶番を支点として回動するよう開閉可能に設けられている。リジェクト庫１８は、顧客との間で取引処理が行われる場合やリジェクト紙幣回収作業が行われない場合、図９、図１０及び図１１に示したようにリジェクト紙幣収納扉３９を閉じリジェクト紙幣取出開口３８を閉鎖することにより、リジェクト紙幣収納空間３７内部の各部やリジェクト紙幣等を保護する。以下ではこれをリジェクト紙幣収納扉閉鎖状態とも呼ぶ。一方リジェクト庫１８は、現金自動取引装置１から取り外された該リジェクト庫１８から現金センターにおいてリジェクト紙幣が回収されるリジェクト紙幣回収作業が行われる場合、リジェクト紙幣収納扉３９を開きリジェクト紙幣取出開口３８を開放することにより、リジェクト紙幣を取り出し可能な状態とする。以下ではこれをリジェクト紙幣収納扉開放状態とも呼ぶ。
【００５６】
リジェクト紙幣収納扉３９における戸先部側（右端側）には、リジェクト紙幣収納扉錠４０が設けられている。リジェクト庫１８は、リジェクト紙幣収納扉錠４０に所定の鍵が差し込まれ一方向に捻られることにより、リジェクト紙幣収納扉錠４０を施錠する。一方リジェクト庫１８は、リジェクト紙幣収納扉錠４０に所定の鍵が差し込まれ他方向に捻られることにより、リジェクト紙幣収納扉錠４０を解錠する。
【００５７】
またリジェクト庫１８は、ジャム除去紙幣収納部４６（図１２）のジャム除去紙幣収納空間４４と外部とを連通し該ジャム除去紙幣収納空間４４から外部へジャム除去紙幣を取り出させる開口であるジャム除去紙幣取出開口４２が、受取口３４Ａの下方に形成されている。
【００５８】
リジェクト庫筐体３４には、ジャム除去紙幣取出開口４２を覆い片開きする板状の開き扉であるジャム除去紙幣収納扉４３が、吊元である左端に設けられた蝶番を支点として回動するよう開閉可能に設けられている。リジェクト庫１８は、顧客との間で取引処理が行われる場合やジャム除去紙幣回収作業が行われない場合、図９、図１０及び図１１に示したようにジャム除去紙幣収納扉４３を閉じジャム除去紙幣取出開口４２を閉鎖することにより、ジャム除去紙幣収納空間４４内部の各部やジャム除去紙幣等を保護する。以下ではこれをジャム除去紙幣収納扉閉鎖状態とも呼ぶ。一方リジェクト庫１８は、現金自動取引装置１から取り外された該リジェクト庫１８から現金センターにおいてジャム除去紙幣が回収されるジャム除去紙幣回収作業が行われる場合、ジャム除去紙幣収納扉４３を開きジャム除去紙幣取出開口４２を開放することにより、ジャム除去紙幣を取り出し可能な状態とする。以下ではこれをジャム除去紙幣収納扉開放状態とも呼ぶ。
【００５９】
ジャム除去紙幣収納扉４３における戸先部側（右端側）には、ジャム除去紙幣収納扉錠４５が設けられている。リジェクト庫１８は、ジャム除去紙幣収納扉錠４５に所定の鍵が差し込まれ一方向に捻られることにより、ジャム除去紙幣収納扉４３を施錠する。一方リジェクト庫１８は、ジャム除去紙幣収納扉錠４５に所定の鍵が差し込まれ他方向に捻られることにより、ジャム除去紙幣収納扉４３を解錠する。
【００６０】
図１２に示すように、受取口３４Ａの後方でありリジェクト紙幣収納空間３７の前方には、放出部としての集積ローラ部５０が設けられている。集積ローラ部５０は、上側ローラ５０Ｕ及び下側ローラ５０Ｄにより構成され、シャフトを左右方向に向けた円柱状に形成されており、駆動力が供給されることにより回転する。下側ローラ５０Ｄのシャフトには、ゴム等の弾性部材で形成された舌片５２が、左右方向に所定の間隔を空けて複数本設けられており、該シャフトと同期して回転する。この舌片５２は、下側ローラ５０Ｄと共に図１２中反時計回りに回転することにより、受取口３４Ａからリジェクト紙幣収納空間３７へ送り出されたリジェクト紙幣の前端部分を叩く。リジェクト庫１８内には、ステージ５４が設けられており、受取口３４Ａから放出されたリジェクト紙幣が集積方向である上下方向（鉛直方向）に沿って重なるよう集積される。このステージ５４は、スプリング５６により下方から支持されており、該ステージ５４に集積されたリジェクト紙幣の枚数に応じて、該スプリング５６が縮み適正な集積スペースを確保する。上側搬送ガイド５８は、受取口３４Ａからリジェクト紙幣収納空間３７までの上方に亘って形成され、搬送されるリジェクト紙幣の上側をガイドする。
【００６１】
リジェクト庫１８内部における集積ローラ部５０の下方には、ジャム除去紙幣収納部４６が設けられている。このジャム除去紙幣収納部４６は、ジャム除去紙幣を収納する空間であるジャム除去紙幣収納空間４４を有している。このジャム除去紙幣収納空間４４は、前側をジャム除去紙幣収納扉４３に、下側をリジェクト庫筐体底板３４Ｄに、後側を仕切り板６０に、左側をリジェクト庫筐体左側板３４Ｌに、右側をリジェクト庫筐体右側板３４Ｒにそれぞれ囲まれた空間である。ジャム除去紙幣収納空間４４は、ジャム除去紙幣を紙面が前後方向を向くように前後方向に沿って重なるように立位姿勢で並べて収納する。
【００６２】
このジャム除去紙幣収納空間４４とリジェクト紙幣収納空間３７との間には図１２及び図１３に示すように上下左右方向に沿って延在する板状部材である側壁部としての仕切り板６０が形成されている。これによりジャム除去紙幣収納空間４４は、仕切り板６０に対してリジェクト紙幣収納空間３７の反対側、すなわち前方に形成されている。この仕切り板６０は、リジェクト紙幣収納空間３７に収納される紙幣をガイドすると共に、ジャム除去紙幣収納空間４４とリジェクト紙幣収納空間３７とを物理的に分断することにより、ジャム除去紙幣とリジェクト紙幣とが混ざってしまわないようにしている。またこの仕切り板６０には、上下方向に沿う複数のスリット６０Ａが穿設されており、このスリット６０Ａを介し、リジェクト紙幣収納部３６側からジャム除去紙幣収納部４６側を目視可能となっている。なお図１３は、リジェクト紙幣収納扉３９を外した状態でリジェクト庫１８内部を後方から見た図である。
【００６３】
リジェクト庫筐体左側板３４Ｌにおいてジャム除去紙幣収納空間４４と対向する箇所には、ジャム除去紙幣収納空間４４の内部と外部とを連通し外部からジャム除去紙幣収納空間４４へジャム除去紙幣を投入させる開口であるジャム除去紙幣投入口４７が穿設されている。このジャム除去紙幣投入口４７は、ジャム除去紙幣収納空間４４の外部から内部へ向かうに従って、すなわち左から右に向かうに従って先細りの形状になっていたり、ジャム除去紙幣収納空間４４の外部から内部へ向かう方向にのみ可動する扉等が設けられていたりすることにより、ジャム除去紙幣収納空間４４の外部から内部へジャム除去紙幣を投入可能であるものの、ジャム除去紙幣収納空間４４の内部から外部へはジャム除去紙幣を取り出せないように構成されている。
【００６４】
フレーム２８のリジェクト庫装着部左側壁２８Ｌにおいてリジェクト庫１８のジャム除去紙幣投入口４７と対向する箇所には、リジェクト庫装着部左側壁２８Ｌの右側と左側とを連通しリジェクト庫装着部左側壁２８Ｌの左側から右側へジャム除去紙幣を通過させる開口であるフレーム孔部２８Ａが穿設されている。
【００６５】
ジャム紙幣を警備員が上搬送部２０や下搬送部２２から除去することによりジャム紙幣除去作業が完了すると、警備員は、このジャム除去紙幣を保守面側（左側）からフレーム２８のフレーム孔部２８Ａ及びリジェクト庫１８のジャム除去紙幣投入口４７を介しジャム除去紙幣収納空間４４に投入することにより、ジャム除去紙幣投入作業を行う。続いて現金自動取引装置１からリジェクト庫１８が警送員により取り外されて移送され、現金センターにおいてジャム除去紙幣回収作業が行われる。具体的にリジェクト庫１８は、リジェクト紙幣収納扉３９が開けられリジェクト紙幣を取り出されると共に、ジャム除去紙幣収納扉４３が開けられジャム除去紙幣を取り出される。
【００６６】
［１−７．効果等］
以上の構成においてリジェクト庫１８は、ジャム除去紙幣を収納するジャム除去紙幣収納空間４４を、リジェクト紙幣収納空間３７に対し、リジェクト紙幣が集積される集積方向である上下方向に沿って重ならない位置である、ジャム除去紙幣収納空間４４の前方に設けるようにした。これによりリジェクト庫１８は、従来のリジェクト庫１８と同等の高さ（サイズ）を保ちつつ、且つリジェクト紙幣の収納容量も保ちつつ、ジャム除去紙幣をリジェクト庫１８に収納できる。
【００６７】
またリジェクト庫１８においては、受取口３４Ａから挿入されたリジェクト紙幣を、該受取口３４Ａよりも後下側に位置するリジェクト紙幣収納空間３７へ集積ローラ部５０により送り出すため、該集積ローラ部５０の下方には元々空間が余っていた。
【００６８】
これに対しリジェクト庫１８は、そのような集積ローラ部５０の下方の余っている空間を有効活用してジャム除去紙幣収納空間４４として利用するようにした。これによりリジェクト庫１８は、ジャム除去紙幣収納空間４４を設けるために、リジェクト庫１８自体のサイズが従来のリジェクト庫１８よりも大きくなってしまったり、リジェクト紙幣収納空間３７におけるリジェクト紙幣の収納容量が減少してしまったりすることを防止しつつ、ジャム除去紙幣を収納する空間を設けることができる。
【００６９】
またリジェクト庫１８は、仕切り板６０にスリット６０Ａを穿設するようにした。このためリジェクト庫１８は、リジェクト紙幣収納部空間２７側からスリット６０Ａを介しジャム除去紙幣収納空間４４内を警送員が目視可能とし、ジャム除去紙幣がジャム除去紙幣収納空間４４に存在するか否かを確認させることができる。これによりリジェクト庫１８は、現金センターにおいてリジェクト紙幣の回収が行われた後に、ジャム除去紙幣収納扉４３が開けられたにも関わらずジャム除去紙幣がジャム除去紙幣収納空間４４に存在しなかったために、ジャム除去紙幣収納扉４３を開ける動作が無駄に終わってしまうことを防止し、操作を簡略化できる。
【００７０】
以上の構成によれば、現金自動取引装置１は、媒体としての紙幣を搬送する上搬送部２０及び下搬送部２２と、上搬送部２０により搬送される紙幣を鑑別する鑑別部１４と、鑑別部１４によりリジェクト媒体としてのリジェクト紙幣と鑑別された紙幣を収納するリジェクト庫１８とを設け、リジェクト庫１８は、リジェクト紙幣を集積するリジェクト紙幣収納空間３７と、リジェクト紙幣収納空間３７に対し、リジェクト紙幣が集積される集積方向である上下方向に沿って重ならない位置に設けられ、上搬送部２０及び下搬送部２２上から除去された除去媒体としてのジャム除去紙幣を収納するジャム除去紙幣収納空間４４と、外部からジャム除去紙幣収納空間４４にジャム除去紙幣を投入させるジャム除去紙幣投入口４７とを有するようにした。
【００７１】
これにより現金自動取引装置１は、リジェクト紙幣収納空間３７に影響を与えることなくジャム除去紙幣をリジェクト庫１８に収納できる。
【００７２】
［２．第２の実施の形態］
第２の実施の形態による現金自動取引装置１０１（図１及び図２）は、第１の実施の形態による現金自動取引装置１と比較して、紙幣入出金機１０に代わる紙幣入出金機１１０を有する点において相違するものの、他の点においては同様に構成されている。紙幣入出金機１１０は、第１の実施の形態による紙幣入出金機１０と比較して、リジェクト庫１８に代わるリジェクト庫１１８を有する点において相違するものの、他の点においては同様に構成されている。
【００７３】
それぞれ図９及び図１０と対応する部材に同一符号を付した図１４及び図１５に示すように、リジェクト庫１１８は、第１の実施の形態によるリジェクト庫１８と比較して、リジェクト紙幣収納扉３９に代わるリジェクト紙幣収納扉１３９と、ジャム除去紙幣収納扉４３に代わるジャム除去紙幣収納扉１４３とを有する点において相違すると共に、リジェクト庫筐体右側板３４Ｒの非保守面側（右側）の側面に、ジャム除去紙幣収納空間４４の外部と内部とを連通しジャム除去紙幣をジャム除去紙幣収納空間４４から外部へ通過させるジャム除去紙幣取出口６２が穿設されているものの、他の点においては同様に構成されている。
【００７４】
ジャム除去紙幣収納扉１４３は、リジェクト庫筐体３４に対し図１６に示すように前後方向に沿ってスライド移動する。このジャム除去紙幣収納扉１４３は、後方へ向かって移動することによりジャム除去紙幣収納扉閉鎖状態となり、ジャム除去紙幣取出口６２を外部から覆う一方、前方へ向かって移動することによりジャム除去紙幣収納扉開放状態となり、ジャム除去紙幣取出口６２を外部に露出させる。またジャム除去紙幣収納扉１４３には、ジャム除去紙幣収納扉錠４５（図９及び図１０）は設けられていない。
【００７５】
リジェクト紙幣収納扉１３９における右端部には、リジェクト紙幣収納扉閉鎖状態においてジャム除去紙幣収納扉１４３と前後方向に対向するよう配置され、リジェクト紙幣収納扉閉鎖状態においてジャム除去紙幣収納扉１４３の後端部に当接することにより、ジャム除去紙幣収納扉１４３の後方への移動を規制するストッパ６４が形成されている。
【００７６】
かかる構成において警備員は、第１の実施の形態による現金自動取引装置１と同様のジャム除去紙幣投入作業を行う。一方、ジャム除去紙幣回収作業時において警備員は、リジェクト紙幣収納扉錠４０を解錠してリジェクト紙幣収納扉１３９を開けることによりリジェクト紙幣収納扉閉鎖状態からリジェクト紙幣収納扉開放状態へ移行させリジェクト紙幣を回収する。その後警備員は、ジャム除去紙幣収納扉１４３を後方へスライドさせることでジャム除去紙幣収納扉閉鎖状態からジャム除去紙幣収納扉開放状態へ移行させ、ジャム除去紙幣取出口６２を露出させることにより、ジャム除去紙幣取出口６２を介しジャム除去紙幣収納空間４４からジャム除去紙幣を回収する。
【００７７】
このように現金自動取引装置１０１は、リジェクト紙幣収納扉錠４０で施錠されるリジェクト紙幣収納扉１３９により、ジャム除去紙幣収納扉１４３の移動を規制し、該ジャム除去紙幣収納扉１４３を結果的に施錠するようにした。これにより現金自動取引装置１０１は、第１の実施の形態による現金自動取引装置１と比較してジャム除去紙幣収納扉錠４５を省略できるため、構成を簡素化できコストダウンできる。
【００７８】
また第１の実施の形態による現金自動取引装置１においては、リジェクト紙幣収納空間３７を開閉するリジェクト紙幣収納扉３９のリジェクト紙幣収納扉錠４０と、ジャム除去紙幣収納空間４４を開閉するジャム除去紙幣収納扉４３のジャム除去紙幣収納扉錠４５との２個の錠を有していた。このため現金自動取引装置１においてはジャム除去紙幣回収作業の際に、警備員がリジェクト紙幣収納扉錠４０を解錠してリジェクト紙幣収納扉３９を開けると共に、ジャム除去紙幣収納扉錠４５を解錠してジャム除去紙幣収納扉４３を開ける必要があり、２個の錠の解錠を行う必要があったため、煩雑な操作を強いることとなっていた。
【００７９】
これに対し現金自動取引装置１０１は、リジェクト紙幣収納扉錠４０で施錠されるリジェクト紙幣収納扉１３９により、ジャム除去紙幣収納扉１４３の移動を規制するようにした。これにより現金自動取引装置１０１は、現金自動取引装置１と比較して、ジャム除去紙幣収納扉錠４５を省略でき、解錠する鍵をリジェクト紙幣収納扉錠４０の１個だけにできるため、ジャム除去紙幣回収作業時における警備員の操作を簡素化できる。
【００８０】
その他第２の実施の形態による現金自動取引装置１０１は、第１の実施の形態による現金自動取引装置１とほぼ同様の作用効果を奏する。
【００８１】
［３．第３の実施の形態］
第３の実施の形態による現金自動取引装置２０１（図１及び図２）は、第２の実施の形態による現金自動取引装置１０１と比較して、紙幣入出金機１１０に代わる紙幣入出金機２１０を有する点において相違するものの、他の点においては同様に構成されている。紙幣入出金機２１０は、第２の実施の形態による紙幣入出金機１１０と比較して、リジェクト庫一時保留部ユニット２６に代わる図１７に示すリジェクト庫一時保留部ユニット２２６を有する点において相違するものの、他の点においては同様に構成されている。リジェクト庫一時保留部ユニット２２６は、リジェクト庫一時保留部ユニット２６と比較して、それぞれフレーム２８に代わるフレーム２２８と、後側搬送ガイド３２に代わる後側搬送ガイド２３２とを有する点において相違するものの、他の点においては同様に構成されている。
【００８２】
図７と対応する部材に同一符号を付した図１７に示すようにフレーム２２８は、フレーム２８と比較して、フレーム孔部２８Ａが塞がれている。また後側搬送ガイド２３２は後側搬送ガイド３２と比較して、例えば透明材料等、リジェクト庫装着部２３側からリジェクト庫一時保留部搬送路側を透視可能な材料で構成されている。
【００８３】
かかる構成において警備員は、第２の実施の形態による現金自動取引装置１０１と同様のジャム除去紙幣回収作業を行う。一方、フレーム孔部２８Ａが塞がれておりジャム除去紙幣投入口４７が外部に開放されていないため、ジャム除去紙幣投入作業時において警備員は、フレーム２２８よりも保守面側（左側）からジャム除去紙幣投入口４７を介しジャム除去紙幣収納空間４４へ紙幣を投入することができない。
【００８４】
このため警備員は、リジェクト庫１８をリジェクト庫装着部２３から上方へ持ち上げてリジェクト脱着状態とすることによりジャム除去紙幣投入口４７を外部に開放させた上で、ジャム除去紙幣投入口４７を介しジャム除去紙幣収納空間４４へ紙幣を投入する。このリジェクト脱着状態においては、後側搬送ガイド３２の後側が外部に露出する。ここで、後側搬送ガイド３２は透明材料で形成されているため、外部から警備員がリジェクト庫一時保留部搬送路を視認可能となり、該リジェクト庫一時保留部搬送路に紙幣が残留していないか否かを確認できる。
【００８５】
ここで、第２の実施の形態による現金自動取引装置１０１においては、フレーム２８にフレーム孔部２８Ａを穿設することにより、ジャム除去紙幣投入作業時においてフレーム２８よりも保守面側からフレーム孔部２８Ａ及びジャム除去紙幣投入口４７を介しジャム除去紙幣収納空間４４へ紙幣を投入可能とし、利便性を保っている。
【００８６】
しかしながら現金自動取引装置１０１の場合、リジェクト庫離脱状態にしなくてもジャム除去紙幣をジャム除去紙幣収納空間４４へ投入可能であるため、リジェクト庫一時保留部搬送部２１以外からジャム紙幣を警備員が発見した場合に該ジャム紙幣をジャム除去紙幣投入口４７から投入して、リジェクト庫一時保留部搬送部２１を確認せずにジャム除去紙幣回収作業を完了できてしまう。その場合、リジェクト庫一時保留部搬送部２１にジャム紙幣が残留したままになってしまう可能性があり、現金トラブルにつながる恐れがある。
【００８７】
これに対し現金自動取引装置２０１は、リジェクト庫装着状態においてジャム除去紙幣投入口４７をフレーム２８のリジェクト庫装着部左側壁２８Ｌに対向させることにより、リジェクト庫装着状態においてはジャム除去紙幣投入口４７からジャム除去紙幣を投入困難にし、リジェクト庫離脱状態においてジャム除去紙幣投入口４７からジャム除去紙幣を投入可能とした。これにより現金自動取引装置２０１は、ジャム除去紙幣投入作業時においてリジェクト庫一時保留部搬送部２１を外部に開放し警備員にリジェクト庫一時保留部搬送路内のジャム紙幣の残留を確認させることができ、リジェクト庫一時保留部搬送部２１にジャム紙幣が残留したままになってしまうことを防止できる。
【００８８】
また現金自動取引装置２０１は、後側搬送ガイド２３２を透明材料で構成するようにした。これにより現金自動取引装置２０１は、リジェクト庫離脱状態において後側搬送ガイド２３２をガイド傾斜状態としなくても外部から警備員がリジェクト庫一時保留部搬送部２１を視認可能とでき、警備員の手間を軽減させることができる。
【００８９】
その他第３の実施の形態による現金自動取引装置２０１は、第２の実施の形態による現金自動取引装置１０１とほぼ同様の作用効果を奏する。
【００９０】
［４．他の実施の形態］
なお上述した実施の形態においては、リジェクト紙幣収納空間３７の前方にジャム除去紙幣収納空間４４を配置する場合について述べた。本発明はこれに限らず、リジェクト紙幣収納空間３７の後方、左方、右方等、リジェクト紙幣収納空間３７の種々の側方にジャム除去紙幣収納空間４４を配置しても良い。要はリジェクト紙幣収納空間３７に対しリジェクト紙幣の集積方向（上下方向）に沿って重ならない配置すれば良い。
【００９１】
また上述した実施の形態においては、仕切り板６０にスリット６０Ａを穿設することによりリジェクト紙幣収納空間３７側からジャム除去紙幣収納空間４４側を目視可能とする場合について述べた。本発明はこれに限らず、仕切り板６０を例えば透明材料等、リジェクト紙幣収納空間３７側からジャム除去紙幣収納空間４４側を透視可能な材料で構成しても良い。
【００９２】
さらに上述した第２の実施の形態においては、警備員がリジェクト紙幣収納扉１３９を開放させた後に手動でジャム除去紙幣収納扉１４３を移動させる場合について述べた。本発明はこれに限らず、図１８に示すリジェクト庫３１８のように、ジャム除去紙幣収納扉１４３を後方へスプリング等の付勢部材６５により付勢することにより、ジャム除去紙幣収納扉１４３が開放されると該ジャム除去紙幣収納扉１４３の回動に連動してジャム除去紙幣収納扉１４３が開くようにしても良い。第３の実施の形態においても同様である。
【００９３】
さらに上述した第２の実施の形態においては、ジャム除去紙幣収納扉１４３をスライド移動で開閉させる場合について述べた。本発明はこれに限らず、図１９に示すリジェクト庫４１８のジャム除去紙幣収納扉４４３のように、回動軸６７を支点とする回動で開閉させても良い。その場合、図２０に示すリジェクト庫５１８のように、閉鎖する方向にジャム除去紙幣収納扉５４３を付勢するトーションビームスプリング６３を回動軸６７に実装することにより、ジャム除去紙幣収納扉５４３の閉め忘れを防止しても良い。第３の実施の形態においても同様である。
【００９４】
さらに上述した第２の実施の形態においては、リジェクト紙幣収納扉１３９とジャム除去紙幣収納扉１４３とを別個に設ける場合について述べた。本発明はこれに限らず、図２１に示すリジェクト庫６１８のように、図１６に示したリジェクト紙幣収納扉３９とジャム除去紙幣収納扉４３とを一体化させたようなリジェクト紙幣ジャム除去紙幣収納扉６６により、リジェクト紙幣収納空間３７及びジャム除去紙幣収納空間４４を開閉しても良い。このリジェクト紙幣ジャム除去紙幣収納扉６６には、ジャム除去紙幣収納空間４４と対向する箇所にジャム除去紙幣投入口４７が形成されている。第３の実施の形態においても同様である。
【００９５】
さらに上述した第１の実施の形態においては、ジャム除去紙幣投入口４７をリジェクト庫１８における保守面側に配置する場合について述べた。本発明はこれに限らず、リジェクト庫１８における前側や後側や上側や下側等に、ジャム除去紙幣投入口４７を配置しても良い。
【００９６】
さらに上述した第２の実施の形態においては、リジェクト庫１１８における保守面側にジャム除去紙幣投入口４７を、非保守面側にジャム除去紙幣収納扉１４３を配置する場合について述べた。本発明はこれに限らず、保守面側のジャム除去紙幣投入口４７を省略し、例えばジャム除去紙幣収納扉１４３等、種々の箇所にジャム除去紙幣投入口４７を設けてもよい。第３の実施の形態においても同様である。
【００９７】
さらに上述した第１の実施の形態においては、警備員が後側搬送ガイド３２をガイド傾斜状態に回動させ、リジェクト庫一時保留部搬送部２１内の残留紙幣を確認する場合について述べた。本発明はこれに限らず、後側搬送ガイド３２をガイド傾斜状態に回動する方向へ図示しない付勢部材により付勢し、リジェクト庫装着状態において後側搬送ガイド３２がガイド傾斜状態に回動しないようリジェクト庫１８により抑え、リジェクト庫離脱状態になると、自動的に後側搬送ガイド３２がガイド傾斜状態に回動するようにしても良い。第２及び第３の形態においても同様である。特に第３の実施の形態に適用した場合、後側搬送ガイド２３２を透明材料で構成しなくても良い。
【００９８】
さらに、上述した第１及び第２の実施の形態においても、第３の実施の形態と同様に後側搬送ガイド３２を透明材料で構成しても良い。
【００９９】
さらに上述した第１の実施の形態においては、１個のジャム除去紙幣収納空間４４を形成する場合について述べた。本発明はこれに限らず、図２２に示すリジェクト庫７１８のように、例えばジャム除去紙幣投入口４７Ａが形成されたジャム除去紙幣収納空間４４Ａ及びジャム除去紙幣投入口４７Ｂが形成されたジャム除去紙幣収納空間４４Ｂ等、２個以上の任意の個数のジャム除去紙幣収納空間を形成しても良い。第２及び第３の形態においても同様である。
【０１００】
さらに、ジャム除去紙幣収納空間４４内に警備員がジャム除去紙幣を投入したことを警送員に通知する図２３又は図２４に示すジャム除去紙幣投入有無通知部６８又は１６８を設けても良い。図２３に示すジャム除去紙幣投入有無通知部６８は、リジェクト庫筐体３４に穿設された窓部６９から、スライド可能な有無通知板７０に記載された「有」又は「無」の何れかを警備員に視認可能にすることにより、「有」又は「無」の表示を切り替える。図２４に示すジャム除去紙幣投入有無通知部１６８は、リジェクト庫筐体３４の外側に設けられた透明ポケット７１に、一面に「有」が、他面に「無」が記載された有無通知板１７０を投入可能にすることにより、「有」又は「無」の表示の何れかを警送員に視認可能にしている。それ以外にも、ジャム除去紙幣収納空間４４内のジャム除去紙幣の有無を種々のセンサにより検出し、ＬＥＤ（Light Emitting Diode）を光らせる等でも良い。
【０１０１】
さらに上述した実施の形態においては、リジェクト庫１８に本発明を適用する場合について述べた。本発明はこれに限らず、例えば紙幣収納庫１６に本発明を適用しても良い。しかしながら紙幣収納庫１６に本発明を適用した場合、現実的には４個の紙幣収納庫１６全てに本発明を適用することとなるため、１個のリジェクト庫１８のみに本発明を適用した場合よりもコストアップしてしまう。また警送員は、空になった又は紙幣が少なくなった紙幣収納庫１６のみを交換しに来るため、紙幣が大量に入っている方の紙幣収納庫１６にジャム除去紙幣が投入されてしまった場合、ジャム除去紙幣が警送員によって回収されるまでに時間を要してしまう可能性がある。さらにリジェクト庫１８は、現金自動取引装置１内に１個だけ設けられているため、４個設けられている紙幣収納庫１６よりも、警備員によって迷わずジャム除去紙幣が投入される可能性が高い。このためリジェクト庫１８に本発明を適用することが望ましい。
【０１０２】
さらに上述した第１の実施の形態においては、現金自動取引装置１の紙幣入出金機１０に本発明を適用する場合について述べた。しかしながら本発明はこれに限らず、例えば金融機関の窓口に設置され、主に金融機関の職員に使用される紙幣整理装置（いわゆるテラーマシン）等、紙幣を取り扱う種々の装置に適用しても良い。第２及び第３の実施の形態についても同様である。
【０１０３】
さらに上述した第１の実施の形態においては、媒体としての紙幣を取り扱う現金自動取引装置１に本発明を適用する場合について述べた。しかしながら本発明はこれに限らず、例えば各種の金券や証券のような種々の媒体を取り扱う装置に適用しても良い。
【０１０４】
さらに本発明は、上述した各実施の形態及び他の実施の形態に限定されるものではない。すなわち本発明は、上述した各実施の形態と上述した他の実施の形態の一部又は全部を任意に組み合わせた実施の形態や、一部を抽出した実施の形態にもその適用範囲が及ぶものである。
【０１０５】
さらに上述した実施の形態においては、媒体収納空間としてのリジェクト紙幣収納空間３７と、ジャム除去媒体収納空間としてのジャム除去紙幣収納空間４４と、投入口としてのジャム除去紙幣投入口４７とによって、媒体収納庫としてのリジェクト庫１８を構成する場合について述べた。しかしながら本発明はこれに限らず、その他種々の構成でなる媒体収納空間と、ジャム除去媒体収納空間と、投入口とによって、媒体収納庫を構成しても良い。
【０１０６】
さらに上述した実施の形態においては、搬送路としての上搬送部２０及び下搬送部２２と、鑑別部としての鑑別部１４と、媒体収納空間としてのリジェクト紙幣収納空間３７と、ジャム除去媒体収納空間としてのジャム除去紙幣収納空間４４と、投入口としてのジャム除去紙幣投入口４７とを有するリジェクト庫としてのとしてのリジェクト庫１８とによって、媒体取引装置としての現金自動取引装置１を構成する場合について述べた。しかしながら本発明はこれに限らず、その他種々の構成でなる搬送路と、鑑別部と、媒体収納空間と、ジャム除去媒体収納空間と、投入口とを有するリジェクト庫とによって、媒体取引装置を構成しても良い。
【産業上の利用可能性】
【０１０７】
本発明は、媒体としての紙幣を利用者との間で取引する現金自動預払機でも利用できる。
【符号の説明】
【０１０８】
１、１０１、２０１……現金自動取引装置、２……装置筐体、３……顧客応対部、４……カード入出口、５……入出金口、６……操作表示部、７……テンキー、８……レシート発行口、９……主制御部、１０……紙幣入出金機、１０Ｕ……上部ユニット、１０Ｄ……下部ユニット、１１……紙幣制御部、１２……入出金部、１４……鑑別部、１５……一時保留部、１６……紙幣収納庫、１８、１１８……リジェクト庫、２０……上搬送部、２１……リジェクト庫一時保留部搬送部、２２……下搬送部、２３……リジェクト庫装着部、２６、２２６……リジェクト庫一時保留部ユニット、２８、２２８……フレーム、２８Ｌ……リジェクト庫装着部左側壁、２８Ｒ……リジェクト庫装着部右側壁、２８Ａ……フレーム孔部、３０……スライドレール、３１……トレイ、３２、２３２……後側搬送ガイド、３２Ａ……引渡口、３４……リジェクト庫筐体、３４Ｕ……リジェクト庫筐体天板、３４Ｄ……リジェクト庫筐体底板、３４Ｌ……リジェクト庫筐体左側板、３４Ｒ……リジェクト庫筐体右側板、３４Ａ……受取口、３６……リジェクト紙幣収納部、３７……リジェクト紙幣収納空間、３８……リジェクト紙幣取出納開口、３９、１３９、１１３９……リジェクト紙幣収納扉、４０……リジェクト紙幣収納扉錠、４２……ジャム除去紙幣取出開口、４３、１４３、４４３、５４３、１１４３……ジャム除去紙幣収納扉、４４……ジャム除去紙幣収納空間、４５……ジャム除去紙幣収納扉錠、４６……ジャム除去紙幣収納部、４７、１１４７……ジャム除去紙幣投入口、５０……集積ローラ部、５０Ｕ……上側ローラ、５０Ｄ……下側ローラ、５２……舌片、５４……ステージ、５６……スプリング、５８……上側搬送ガイド、６０、１１６０……仕切り板、６０Ａ……スリット、６２……ジャム除去紙幣取出口、６３……トーションビームスプリング、６４……ストッパ、６５……付勢部材、６６……リジェクト紙幣ジャム除去紙幣収納扉、６７……回動軸、６８、１６８……ジャム除去紙幣投入有無通知部、６９……窓部、７０、１７０……有無通知板、７１……透明ポケット。
【図１】
2018097634.tif 000003
【図２】
2018097634.tif 000004
【図３】
2018097634.tif 000005
【図４】
2018097634.tif 000006
【図５】
2018097634.tif 000007
【図６】
2018097634.tif 000008
【図７】
2018097634.tif 000009
【図８】
2018097634.tif 000010
【図９】
2018097634.tif 000011
【図１０】
2018097634.tif 000012
【図１１】
2018097634.tif 000013
【図１２】
2018097634.tif 000014
【図１３】
2018097634.tif 000015
【図１４】
2018097634.tif 000016
【図１５】
2018097634.tif 000017
【図１６】
2018097634.tif 000018
【図１７】
2018097634.tif 000019
【図１８】
2018097634.tif 000020
【図１９】
2018097634.tif 000021
【図２０】
2018097634.tif 000022
【図２１】
2018097634.tif 000023
【図２２】
2018097634.tif 000024
【図２３】
2018097634.tif 000025
【図２４】
2018097634.tif 000026
【図２５】
2018097634.tif 000027
【図２６】
2018097634.tif 000028
【図２７】
2018097634.tif 000029